(57)【要約】【課題】  主として雅楽で用いられる和琴の絃の張り替えを容易にすることにある。【課題を解決するための手段】  本考案に係る和琴４０は、空洞２４を有し、一端に絃５０を通す通絃孔２８と、他端に櫛の歯型の切れ込みの両端部に形成された凸部からなるはず頭３０と、該はず頭３０に対応して形成された第２の通絃孔３４とを備えた胴４２と、前記胴４２の一端側空洞２４に設けられた絃５０のチューニング機構４４と、前記胴４２のはず頭３０に形成された葦津緒３２が装飾的に編み込まれた葦津緒装飾体４８と、前記チューニング機構４４と葦津緒装飾体４８との間に張り渡される絃５０とを備えて構成した。【選択図】図１
0003218334.tif 000002
【実用新案登録請求の範囲】
【請求項１】
空洞を有し、一端に絃を通す通絃孔と、他端に櫛の歯型の切れ込みの両端部に形成された凸部からなるはず頭と、該はず頭に対応して形成された第２の通絃孔とを備えた胴と、
前記胴の一端側空洞に設けられた絃のチューニング機構と、
前記胴のはず頭に形成された葦津緒が装飾的に編み込まれた葦津緒装飾体と、
前記チューニング機構と葦津緒装飾体との間に張り渡される前記絃と
を備えた和琴。
【請求項２】
前記葦津緒装飾体に前記絃を固定する固定手段が設けられている前記請求項１に記載の和琴。
【請求項３】
前記チューニング機構が前記胴の一端側空洞に設けられた止め板と、前記止め板に立設されたチューニングピンとを備えて構成される前記請求項１又は２に記載の和琴。
【請求項４】
前記葦津緒装飾体の内部に軸方向に配設されたチューブを備えた前記請求項１から３のいずれかに記載の和琴。
【請求項５】
前記チューニング機構が設けられ側の胴の空洞を塞ぐ蓋であって、該蓋が磁石により開閉可能である前記請求項１から４のいずれかに記載の和琴。
【請求項６】
前記胴の一端側の裏板に設けられる龍手が磁石又は係合手段により着脱可能とされている前記請求項１から５のいずれかに記載の和琴。
【考案の詳細な説明】
【技術分野】
【０００１】
本考案は、和琴（わごん）に関し、特に日本の伝統的な雅楽に用いられる和楽器である和琴に関する。
【背景技術】
【０００２】
和琴１０は、図９、図１０に示すように、桐材などからなる胴１２の両端に絹製の糸を所定の太さに撚った絃１４を６本張り渡した構造をしている。
【０００３】
和琴１０は通常、胴１２の長さは約１９０センチメートル、一端側の頭端（ずたん）１６の幅は約１５センチメートル、他端側の尾端（びたん）１８の幅は約２４センチメートルであるが、近年ではサイズの異なるものも提供されている。胴１２は側面をくり出した槽（そう）と称する表板２０に龍背（りゅうはい）と称する裏板２２を接着して作られ、内部は空洞２４をなしている。表板２０と裏板２２は頭端１６から尾端１８にかけて僅かに波打った形状をなしている（図面では誇張して描いている。）。胴１２の頭端１６には、側面視Ｌ型をした龍角（りゅうかく）２６が貼り付けられていて、龍角２６と表板２０とを通して６個の通絃孔２８が設けられ、通絃孔２８に対応する位置の龍角２６に絃１４の横ずれを防ぐ溝を設けている。
【０００４】
一方、胴１２の尾端１８は櫛の歯型の切れ込みが５か所設けられ、その切れ込みにより生じた６か所の凸部をはず頭（はずがしら）３０という。そのはず頭３０の一つ一つに後述する葦津緒（あしずお）３２を通す大きさの葦津緒通絃孔３４が設けられている。
【０００５】
絃１４の一端は、胴１２の頭端１６側に設けられた龍角２６に開けられた通絃孔２８を通して胴１２の空洞２４に入れられ、円柱状の木製の糸玉３６に先端が括り付けられる。絃１４はそれぞれ対応する龍角２６に設けられた溝を通して尾端１８側に張られる。
【０００６】
尾端１８側に張られる絃１４の他端は、図１１に示すように、ロープ状の葦津緒３２の先端部に巻き付けて固定される。葦津緒３２は白、黄、浅黄、薄萌葱の４色の絹製の撚糸からなり、直径約５ミリメートル程度である。葦津緒３２の先端に絃１４を固定する方法は、同図に示すように、絃１４を頭端１６の通絃孔２８から引っ張った状態で葦津緒３２の先端部に5センチメートル程度沿わせた後、木製の糸玉３８に巻いて反転させ、その糸玉３８の際から葦津緒３２の先端に沿わせた絃１４と共に絃１４を強く巻き付けて固定する。このように絃１４を巻き付けることによって葦津緒３２を強く引っ張ったとき、糸玉３８が絃１４によって軸方向に引っ張られるが、糸玉３８は葦津緒３２に巻き付けられた絃１４に引っかかるため、絃１４が葦津緒３２から抜け出ることはない。
【０００７】
葦津緒３２の他端は、胴１２の尾端１８側のはず頭３０に設けられた葦津緒通絃孔３４に通される。葦津緒３２を冶具を用いて強く引っ張り、絃１４に所定の張力を付加した状態ではず頭３０の端部で折り返した後、葦津緒３２を結んで固定し、更に葦津緒３２と絃１４を連結している箇所で、所定の様式に則り、葦津緒３２を装飾的に編み込んでいく。同様に、残り５本の絃１４についても、胴１２の両端に葦津緒３２を用いて張っていくのであるが、このとき、絃１４の長さ、すなわち葦津緒３２の長さを６本すべてがほぼ同じになるように調整しなければならない。葦津緒３２を装飾的に編み込む仕方には様式があり、現在では技術を継承している宮内庁の担当者に指導を受けた者でなければできない伝統的なものである。
【先行技術文献】
【特許文献】
【０００８】
【特許文献１】実開平５−６９７９０号公報
【考案の概要】
【考案が解決しようとする課題】
【０００９】
和琴の絃１４は絹製の撚糸であるため、時間の経過とともに伸びが生じて弛んでしまい、所定の音が出なくなる。この場合は、装飾的に編み込んだ葦津緒３２を解き、葦津緒３２を緩めてから冶具を用いて強く引っ張り、絃１４を張り直す必要がある。
【００１０】
また、和琴の演奏は、それぞれの絃１４を可動のふたまた状の柱（じ）により調律し、琴軋（ことさぎ、ことさき）という義甲（爪）を用いるが、この琴軋によって絃１４を弾くため、絃１４が切れてしまうことがある。この場合は、前述同様に装飾的に編み込んだ葦津緒３２を解き、更に葦津緒３２の先端部分に巻き付けた絃１４を解いた後、再使用する絃１４の一端を胴１２の頭端１６側に設けられた通絃孔２８に通して糸玉３６を用いて固定する。その絃１４の他端を葦津緒３２の先端部分に、他の５本の絃１４の長さとほぼ同じ位置になるように調整して、前述同様に糸玉３８を用いて巻き付けて固定する。その後、葦津緒３２を前述同様に引っ張り、絃１４に所定の張力を付加して固定しなければならない。
【００１１】
更に、はず頭３０に固定された葦津緒３２は前述同様、所定の様式に則り、装飾的に編み込む必要がある。この作業は、時間がかかるだけでなく、熟練の技術を必要とする。このため、国内外での演奏旅行には、技術者を帯同させる必要があるなどの問題があった。
【００１２】
上記した問題に鑑み、本考案の目的は、絃の張り替えや調音が容易な和琴を提供することにある。
【課題を解決するための手段】
【００１３】
上記した課題を解決するために、本考案に係る和琴は、空洞を有し、一端に絃を通す通絃孔と、他端に櫛の歯型の切れ込みの両端部に形成された凸部からなるはず頭と、該はず頭に対応して形成された第２の通絃孔とを備えた胴と、前記胴の一端側空洞に設けられた絃のチューニング機構と、前記胴のはず頭に形成された葦津緒が装飾的に編み込まれた葦津緒装飾体と、前記チューニング機構と葦津緒装飾体との間に張り渡される絃と
を備えたことにある。
【００１４】
かかる和琴において、前記葦津緒装飾体に前記絃を固定する固定手段が設けられていることにある。
【００１５】
また、かかる和琴において、前記チューニング機構が前記胴の一端側空洞に設けられた止め板と、前記止め板に立設されたチューニングピンとを備えて構成されることにある。
【００１６】
かかる和琴において、前記葦津緒装飾体の内部に軸方向に配設されたチューブを備えたことにある。
【００１７】
また、かかる和琴において、前記チューニング機構が設けられた側の胴の空洞を塞ぐ蓋であって、該蓋が磁石により開閉可能であることにある。
【００１８】
更にかかる和琴において、前記胴の一端側の裏板に設けられる龍手が磁石又は係合手段により着脱可能とされていることにある。
【考案の効果】
【００１９】
本考案に係る和琴によれば、予め形成されている葦津緒装飾体とチューニング機構との間に絃を張り渡し、チューニング機構で絃に一定の張力を付与するだけで、絃の張り替えが完了する。すなわち、葦津緒装飾体は予め熟練者により編み込まれて形成されているため、改めて編み込む必要がない。このため、絃の張り替え作業に熟練を要さず、しかも短時間で完了する。また、絃の張りが弛んできたときには、直ちにチューニング機構で絃に張りを付与することができる。これらの構成により、和琴本来の機能を損なうことは全くなく、また外観上も何ら損なうことはない。
【図面の簡単な説明】
【００２０】
【図１】本考案に係る和琴の正面断面図である。
【図２】本考案に係る和琴のチューニング機構を拡大して示す断面図である。
【図３】本考案に係る和琴の裏面図である。
【図４】本考案に係る和琴の葦津緒と糸玉とを固定する構造を拡大して示す図である。
【図５】本考案に係る和琴の葦津緒装飾体を簡略して示す拡大図である。
【図６】本考案に係る和琴の葦津緒装飾体と絃との接続を説明するための拡大図である。
【図７】本考案に係る和琴の他の実施形態を示す拡大図である。
【図８】本考案に係る和琴の他の実施形態を示す拡大図である。
【図９】従来の和琴を示す平面図である。
【図１０】従来の和琴の正面断面図である。
【図１１】従来の和琴における葦津緒装飾体と絃とを説明するための拡大図である。
【考案を実施するための形態】
【００２１】
本考案に係る和琴４０は、図１に示すように、従来の和琴１０と構造がほとんど同じであるため、共通する部分には同じ符号を付し、異なる箇所のみ、異なる符号を付して説明する。
【００２２】
本考案に係る和琴４０は、一端部に絃５０が通る通絃孔２８が設けられ、他端部にはず頭３０と第２の通絃孔である葦津緒通絃孔３４が設けられた胴４２と、その胴４２の一端側内部に設けられたチューニング機構４４とを備えている。更に、前記胴４２の他端側のはず頭３０に、葦津緒３２の先端部に糸玉固定材４６によって固定された糸玉３８を備え、糸玉３８及び糸玉固定材４６を含む周囲を葦津緒３２で所定の様式で編み込まれた葦津緒装飾体４８と、前記チューニング機構４４と葦津緒装飾体４８との間に張架される絃５０とを備えて構成される。
【００２３】
チューニング機構４４は、図2に拡大して示すように、胴４２の一端側に設けられた通絃孔２８の近傍部である空洞２４に止め板５２が設けられ、その止め板５２に６個の通絃孔２８に対応する位置にそれぞれチューニングピン５４が立設されて構成されている。止め板５２は、空洞２４の横断面とほぼ同形状をしていて、膠等の接着剤等を用いて強固に内壁面に固定されている。チューニングピン５４の他端は止め板５２に開設された孔に圧入され、容易に回転しないようにされている。また、チューニングピン５４の一端には、断面が４角形又は６角形、あるいは小判形等の平坦面を備えた形状が施されていて、これらの形状に適合する冶具５６でチューニングピン５４を回転させることができるようにされている。チューニングピン５４の止め板５２に圧入された他端と平坦面が設けられた一端との間の軸部に、チューニングピン５４の軸方向と直角をなす方向に絃５０の線径よりも大きい孔が設けられているのが好ましい。この孔に絃５０を通して結び付け、チューニングピン５４を回転させることにより、チューニングピン５４に絃５０を巻取ることができる。なお、チューニングピン５４に孔ではなく、突起やフックを設けても同様の機能を奏することができる。
【００２４】
チューニングピン５４に絃５０を固定する作業を容易にするため、図３に示すように、胴４２の裏板２２の、チューニングピン５４の配設位置に対応する箇所に作業孔６０が設けられている。通絃孔２８に挿入された絃５０を、その通絃孔２８に対応する位置のチューニングピン５４に固定する作業を、作業孔６０から行う。
【００２５】
なお、図1及び図３に示す頭端１６側の穴を音穴（おんけつ）６２、尾端１８側の穴を下樋（したひ・したび）６４といい、いずれも共鳴穴である。また、頭端１６側の符号６６は猫足（龍手：りゅうしゅ）、符号６８は龍趾（長足）であり、いずれも和琴４０の胴４２を床面から離して支え、音の通りをよくすると共に、演奏を楽にするためのものである。
【００２６】
一方、図１に示すように、胴４２の他端側には、葦津緒装飾体４８が予め形成されている。葦津緒装飾体４８は、先ず葦津緒３２が葦津緒通絃孔３４に通され、葦津緒３２に糸玉３８が糸玉固定材４６によって固定され、これら葦津緒３２の一部と、糸玉３８と糸玉固定材４６の表面を覆うように葦津緒３２が巻かれ、且つ編み込まれている。
【００２７】
糸玉３８の固定方法は、図４に示すように、葦津緒３２の一端に約5センチメートル程度、糸玉固定材４６を沿わせて配置し、その糸玉固定材４６を糸玉３８に巻き付けて反転させ、糸玉３８の際から葦津緒３２とそれに沿わせた糸玉固定材４６を共に強く巻き付けていき、糸玉３８を固定する。このような方法で糸玉３８を固定することによって、糸玉３８に強い力が加わっても、糸玉３８が糸玉固定材４６から抜け出ることはない。すなわち、糸玉３８と糸玉固定材４６が絃５０を固定する固定手段を構成する。糸玉固定材４６は絃５０と同じ素材でも良いが、絃としての機能を奏さないので、例えば樹脂などからなる素材でも良い。なお、糸玉３８と糸玉固定材４６は、絃５０の一端を固定するためのものであるので、同様の機能を奏する他の部材を用いて構成することも可能であり、何ら限定されるものではない。
【００２８】
図５に示すように、糸玉３８の固定された葦津緒３２の他端側ははず頭３０に形成された葦津緒通絃孔３４に通されており、葦津緒通絃孔３４の下部からはず頭３０の先端部で折り返され、前記葦津緒３２の一端側に固定された後、巻き付けられ、更に三つ編みされて装飾的に編み込まれて、葦津緒装飾体４８が形成される。この作業において、葦津緒装飾体４８は絃５０によって引っ張られていないため、楽に行うことができる。なお、図５に示す葦津緒装飾体４８は簡略化して記載している。
【００２９】
このようにして、６か所のはず頭３０部分にそれぞれ葦津緒装飾体４８が形成される。
【００３０】
次に、一端側にチューニング機構４４を、他端側に葦津緒装飾体４８を備えた胴４２に、絃５０が張り渡される。先ず絃５０の一端を通絃孔２８に通して、チューニングピン５４の孔に通すなどにより、固定する。次いで、図５に示すように、絃５０の他端側を糸玉固定材４６が巻き付けられた葦津緒３２の先端部と葦津緒装飾体４８との間に挿入し、糸玉３８の箇所にまで通して、緩く張り渡す。そして、図６に示すように、絃５０の途中で絃５０を糸玉３８に固定するためのリング状の結び目部分５８を作り、糸玉３８の際にある糸玉固定材４６に固定する。リング状の結び目部分５８はチューニングピン５４側の絃５０を引っ張ると締まるように形成される。その後、チューニングピン５４を冶具５６を用いて回転させ、絃５０を所定の強さに張り渡す。
【００３１】
同様の作業を、残りの５か所について行い、和琴４０を完成させる。絃５０は、その途中部分を糸玉３８に固定しているが、余剰部分が生じる。この余剰部分はリング状に丸めて、葦津緒装飾体４８と胴４２との間に差し込んでおく。絃５０が切れたときに使用するためである。
【００３２】
かかる構成の和琴において、６本の絃５０をそれぞれチューニングピン５４を回転させてチューニングすることにより、所定の音階で演奏することができる。演奏の終了後は、絃５０が伸びるのを防ぐためにチューニングピン５４を逆回転させ、絃５０の張りを緩めておくのが好ましい。また、演奏によって、絃５０が切れてしまったときは、葦津緒装飾体４８の中に埋まっている糸玉３８の箇所に固定されている絃５０を解き、切れた側の絃５０を葦津緒装飾体４８と胴４２との間に差し込んでおいた余剰部分から引っ張り出す。一方、チューニングピン５４に固定されていた絃５０を取り除き、前記余剰部分から引っ張りだされた絃５０を通絃孔２８に通して、チューニングピン５４に固定する。次いで、葦津緒装飾体４８側にある絃５０を軽く引っ張り、図６で説明したようにリング状の結び目部分５８を作り、糸玉３８の際にある糸玉固定材４６に固定する。後は、チューニングピン５４を回転させ、絃５０のチューニングを行うだけで、絃５０の張り替えが完了する。
【００３３】
本考案の和琴によれば、絃５０の張りが弛んだときは、チューニングピン５４を回転させるだけで、所定の張力で張ることができる。また、絃５０が切れた場合においては、葦津緒装飾体４８の糸玉３８近傍の糸玉固定材４６に固定されている絃５０を解き、切れた絃５０の先端部を胴４２の頭端１６の通絃孔２８を通してチューニングピン５４に巻き付ける。次いで、絃５０の他端を葦津緒装飾体４８の糸玉３８の箇所に固定した後、チューニングピン５４を回転させるだけで、所定の張力で張ることができる。
【００３４】
これらの動作において、編み込まれた葦津緒３２を解く作業はなく、したがって解いた葦津緒３２を所定の様式に則って編み込むという熟練を要する作業もなく、また葦津緒３２を引っ張って絃５０を張るという力作業もなく、従来の方法と比較して飛躍的短時間で作業を行うことができ、熟練者を必要としない。その結果、一部の限られた演奏者にのみ用いられていた和琴の普及が期待できる。
【００３５】
本考案に係る和琴は、上述の実施形態に限定されるものではない。
【００３６】
たとえば、新しい弦５０を葦津緒装飾体４８における葦津緒３２の先端部に沿って挿入する作業は、葦津緒３２の周りに巻かれた糸玉固定材４６と葦津緒３２が装飾的に編み込まれた部分の隙間にて行うことになるため、絃５０の先端が葦津緒３２に引っかかり、挿入しづらく、時間を要する。そこで、図７に示すように、糸玉固定材４６を巻き付けた葦津緒３２の先端部に沿ってチューブ７０を設けて、そのチューブ７０に絃５０を挿入すれば、直ちに絃５０を糸玉３８まで通すことができる。
【００３７】
また、上記実施例では、糸玉３８と糸玉固定材４６が絃５０を固定する固定手段を構成していたが、この糸玉３８は和琴１０の単なる装飾のために用い、絃５０を固定する固定手段としては、別途、葦津緒３２の一部に金具等を取り付けても良い。固定手段としての金具等は絃５０を巻き付けたり、絃５０の張り替えのために金具等から絃５０を解くとき、解きやすい形状構造であれば特に限定されるものではない。
【００３８】
頭端１６側に設けられているチューニングピン５４は外部から見えることになるが、雅楽に用いる和琴４０という性質上、好ましいことではない。そこで、図８に示すように、表板２０と裏板２２に囲まれた空洞２４内部に磁石付の突起７２と、空洞２４の形状に適合する形状の、磁石に吸着し得る素材が配置された蓋７４とを設けて構成しても良い。蓋７４を開けるときは、作業孔６０から蓋７４の裏側を押すことにより、容易に開けることができる。
【００３９】
和琴４０の裏板２２に設けられている猫足６６は、胴４２から突出した形状であるため、運搬時などには嵩張る原因となっている。そこで、猫足６６と裏板２２への取り付け面とに磁石と磁石に吸着し得る素材とを配置し、猫足６６を和琴４０の裏板２２に着脱できるようにしても良い。磁石に代えて、面ファスナーを設けたり、係合させる構造を設けたりすることも可能である。
【００４０】
チューニング機構４４は、上記チューニングピン５４による構造が最もシンプルな構造であるため好ましいが、それ以外に歯車を利用した構造などを用いることも可能である。絃５０を強い力で巻き取ることができ、かつ自然に巻き戻らない構造であれば良い。
【００４１】
本考案は、上述した実施形態に限定されるものではなく、その趣旨を逸脱しない範囲で当業者の知識に基づき種々改良、修正又は変形を加えた態様で実施できる。また、同一の作用又は効果が生じる範囲内で、いずれかの考案特定事項を他の技術に置換した形態で実施しても良い。
【符号の説明】
【００４２】
２６：龍角
２８：通絃孔
３０：はず頭
３２：葦津緒
３４：葦津緒通絃孔（第２の通絃孔）
３８：糸玉
４０：和琴
４２：胴
４４：チューニング機構
４６：糸玉固定材
４８：葦津緒装飾体
５０：絃
５４：チューニングピン
【図１】
0003218334.tif 000003
【図２】
0003218334.tif 000004
【図３】
0003218334.tif 000005
【図４】
0003218334.tif 000006
【図５】
0003218334.tif 000007
【図６】
0003218334.tif 000008
【図７】
0003218334.tif 000009
【図８】
0003218334.tif 000010
【図９】
0003218334.tif 000011
【図１０】
0003218334.tif 000012
【図１１】
0003218334.tif 000013